(57)【要約】【課題】独立して相対的に回動可能な複数の駆動系環状部材の一つを回転操作したときに適度な操作感を感じることができると共に他の駆動系環状部材が引き連れられて回転することがなく、しかも製造が容易なレンズ鏡筒の防滴構造を提供する。【解決手段】互いに同軸をなしながら相対回転可能な複数の環状部材を有し、該複数の環状部材は、独立して相対回動可能な複数の駆動系環状部材と、これらの駆動系環状部材が相対回転する環状部材とを具備するレンズ鏡筒において、径方向内外に重複して位置する駆動系環状部材の光軸方向端部近傍に、前記駆動系環状部材間の環状の隙間を塞ぐシーリング部材を設け、前記各駆動系環状部材と相対回転する前記環状部材との隙間を塞ぐシーリング部材を設け、前記駆動系環状部材の一方が回転させられたときに他方の駆動系環状部材を回転させようとするシーリング部材の摩擦抵抗よりも、前記他方の駆動系環状部材と相対回転する環状部材間のシーリング部材による摩擦抵抗の方が大きくなるように形成した。【選択図】図１
2010197452.tif 000002
【特許請求の範囲】
【請求項１】
互いに同軸をなしながら相対回転可能な複数の環状部材を有し、該複数の環状部材は、独立して相対回動可能な複数の駆動系環状部材と、これらの駆動系環状部材が相対回転する環状部材とを具備するレンズ鏡筒において、
径方向内外に重複して位置する駆動系環状部材の光軸方向端部近傍に、前記駆動系環状部材間の環状の隙間を塞ぐシーリング部材を設け、
前記各駆動系環状部材と相対回転する前記環状部材との隙間を塞ぐシーリング部材を設け、
前記駆動系環状部材の一方が回転させられたときに他方の駆動系環状部材を回転させようとするシーリング部材の摩擦抵抗よりも、前記他方の駆動系環状部材と相対回転する環状部材間のシーリング部材による摩擦抵抗の方が大きくなるように形成したこと、を特徴とするレンズ鏡筒の防滴構造。
【請求項２】
請求項１記載のレンズ鏡筒の防滴構造において、前記独立して相対回転する二つの駆動系環状部材の間に前記シーリング部材が設けられ、前記各駆動系環状部材と相対回転する環状部材との間にそれぞれシーリング部材が設けられていて、前記駆動系環状間のシーリング部材の摩擦力は、相対回転する環状部材間のシーリング部材の摩擦力よりも小さく設定されているレンズ鏡筒の防滴構造。
【請求項３】
請求項１または２記載のレンズ鏡筒の防滴構造において、前記駆動系環状部材の内側の駆動系環状部材には、シーリング部材よりも軸方向外側位置に前記シーリング部材に沿った排水溝が設けられているレンズ鏡筒の防滴構造。
【請求項４】
請求項３記載のレンズ鏡筒の防滴構造において、前記排水溝は、前記内側の駆動系環状部材外周面に突設した二本の堤部の間に形成されているレンズ鏡筒の防滴構造。
【請求項５】
請求項３又は４記載のレンズ鏡筒の防滴構造において、前記外側の駆動系環状部材には、上記排水溝の上方まで張り出して前記排水溝を覆う庇部分を備えているレンズ鏡筒の防滴構造。
【発明の詳細な説明】
【技術分野】
【０００１】
本発明は、レンズ鏡筒の環状部材間の防滴構造に関する。
【背景技術】
【０００２】
レンズ鏡筒は一般的に、互いに同心をなし光軸に沿って相対回転可能あるいは光軸回りに相対移動可能な複数の環状部材を具備している。これら環状部材の一つをズーム操作環あるいはマニュアルフォーカス環とし、このズーム操作環あるいはマニュアルフォーカス環の手動による回転操作により他の環状部材を光軸に沿って進退させる場合に、隣り合う（径方向に重なり合う）環状部材間に意図的に摩擦抵抗を発生させることにより、ズーム操作環あるいはマニュアルフォーカス環の手動操作時に撮影者が適度な抵抗感を感じられるようにすることが従来より行われている。
このような抵抗感を出すための手段の一例として、一方の面全体に細かな毛が植毛された環状の合成皮革の他方の面を環状部材の外周面または内周面に固着し、合成皮革の一方の面（植毛面）を隣り合う他の環状部材の内周面または外周面に摺動可能に接触させることが行われていた。
【０００３】
しかし、このように合成皮革を利用した場合は、撮影者が適度な抵抗感を感じられるようにはなるものの、隣り合う環状部材の隙間からレンズ鏡筒内に水滴や埃等が侵入するのを防止する（防滴効果を発揮する）のが難しくなる。
【０００４】
防滴効果を発揮しつつズーム操作環あるいはマニュアルフォーカス環の手動操作時に撮影者が抵抗感を感じられるようにしたレンズ鏡筒としては例えば特許文献１、２に開示されたものがある。
特許文献１のレンズ鏡筒では、前側外装環の外周面の後端部と、前側外装環の直後に位置し前側外装環に対して光軸回りに相対回転可能（光軸方向への相対移動は不能）なマニュアルリングの内周面の前端部との間にプラスチックシートや塩化ビニルシートからなる環状のワッシャを挿入し、かつマニュアルリングの後端部の外周面と、マニュアルリングの直後に位置する後側外装環の内周面の前端部との間にプラスチックシートや塩化ビニルシートからなる環状のワッシャを挿入している。さらに、前側外装環の外周面の後端部とマニュアルリングの内周面の前端部の間にワッシャの直後に位置する態様で撥水材を充填し、かつマニュアルリングの外周面の後端部と後側外装環の内周面の前端部の間にワッシャの直前に位置する態様で撥水材を充填している。
【０００５】
このような構造の特許文献１のレンズ鏡筒では、ワッシャ及び前後の撥水材が防滴効果を発揮するので、レンズ鏡筒外部の水滴や埃がレンズ鏡筒内に侵入するのが防止される。さらに、前側外装環とマニュアルリングの間にワッシャが挟まれ、かつマニュアルリングと後側外装環の間にワッシャが挟まれているので、撮影者がマニュアルリングを回転操作したときに撮影者は抵抗感を感じることができる。
【０００６】
特許文献２に記載のレンズ鏡筒では、フォーカス操作環の光軸方向端面に同心円状の溝部が設けられ、さらに該溝部には粘性を有するグリス（撥水材または油脂）が充填され、また外装環の該フォーカス操作環と向きあう光軸方向端面に該フォーカス操作環に設けられた溝部に緩挿される同心円状の凸円環部が設けられている。
【０００７】
特許文献２ではこのような構造により、外装環とフォーカス操作環の間はグリスで遮閉され、外部からの水滴や塵等の進入を防ぐことを可能としており、また粘性によりグリスの種類を選択することでフォーカス操作環の作動トルク（抵抗感）を変更することも可能であるとされている。
【先行技術文献】
【特許文献】
【０００８】
【特許文献１】特開２０００−２２７５３４号公報
【特許文献２】特開２００３-２０２４８１号公報
【発明の概要】
【発明が解決しようとする課題】
【０００９】
しかしながら、特許文献１のレンズ鏡筒は、比較的硬質の材料であるプラスチックシートや塩化ビニルシートを利用して環状のワッシャを成形しているので、合成皮革を利用した場合のような抵抗感を出すのが難しい。特に、環状部材が光軸方向へスライドしながら光軸回りに回転する場合は、環状部材が光軸方向へスライドのみする場合や光軸回りに回転のみする場合に比べて、合成皮革を利用したときのような抵抗感を出すのが一層難しい。さらに、ワッシャをプラスチックシートや塩化ビニルシートによって成形しているので、ワッシャの表面に微小な凹凸が存在すると、この凹凸の影響によりマニュアルリングの回転操作が不円滑になるおそれがある。このようにワッシャは設計形状通りに精度良く成形する必要があるが、プラスチックシートや塩化ビニルシートによってワッシャを精度良く成形するのは容易でない。
【００１０】
特許文献２のレンズ鏡筒は、外装環とフォーカス操作環の光軸方向端面に形成した凸円環部、溝部に充填したグリスとによって防滴しているので、外装環及びフォーカス操作環の径が同一でなければ適用できなかった。
【００１１】
さらに特許文献２は、二本の鏡筒で遮光部材を挟み込む圧力の強さによって抵抗（作動トルク）が変化するとともに防滴効果が変化する構造なので、抵抗を小さくするために圧力を弱くすると防滴効果が小さくなり過ぎ、逆に圧力を高くして防滴効果を大きくすると抵抗が大きくなり過ぎてしまい、防滴性能と抵抗感の調整が困難という問題があった。
【００１２】
本発明は、独立して相対的に回動可能な複数の駆動系環状部材の一つを回転操作したときに適度な操作感を感じることができると共に他の駆動系環状部材が引き連れられて回転することがなく、しかも製造が容易なレンズ鏡筒の防滴構造を提供することを目的とする。
【課題を解決するための手段】
【００１３】
上記の課題を解決する本発明は、互いに同軸をなしながら相対回転可能な複数の環状部材を有し、該複数の環状部材は、独立して相対回動可能な複数の駆動系環状部材と、これらの駆動系環状部材が相対回転する環状部材とを具備するレンズ鏡筒において、径方向内外に重複して位置する駆動系環状部材の光軸方向端部近傍に、前記駆動系環状部材間の環状の隙間を塞ぐシーリング部材を設け、前記各駆動系環状部材と相対回転する前記環状部材との隙間を塞ぐシーリング部材を設け、前記駆動系環状部材の一方が回転させられたときに他方の駆動系環状部材を回転させようとするシーリング部材の摩擦抵抗よりも、前記他方の駆動系環状部材と相対回転する環状部材間のシーリング部材による摩擦抵抗の方が大きくなるように形成したことに特徴を有する。
【００１４】
より実際的には、前記独立して相対回転する二つの駆動系環状部材の間に前記シーリング部材が設けられ、前記各駆動系環状部材と相対回転する環状部材との間にそれぞれシーリング部材が設けられていて、前記駆動系環状間のシーリング部材の摩擦力は、相対回転する環状部材間のシーリング部材の摩擦力よりも小さく設定される。
【００１５】
前記駆動系環状部材の内側の駆動系環状部材には、シーリング部材よりも軸方向外側位置に前記シーリング部材に沿った排水溝を設けることが好ましい。前記排水溝は、より好ましくは、前記内側の駆動系環状部材外周面に突設した二本の堤部の間に形成する。前記外側の駆動系環状部材には、上記排水溝の上方まで張り出して前記排水溝を覆う庇部分を設けることが好ましい。排水溝を設けることにより水滴等がシーリング部材まで達し難くなり、シーリング部材による摩擦抵抗を調整する自由度が高くなる。
【発明の効果】
【００１６】
本発明によれば、独立して相対的に回動可能な複数の駆動系環状部材の一つを回転操作したときに他方の駆動系環状部材が引き連れられて回転することが無いレンズ鏡筒の防滴構造が得られる。シーリング部材による防滴効果への依存度が低いので、シーリング部材による回転抵抗の調整が容易になり、複数の駆動系環状部材を容易に独立して回転するように設定できる。
【図面の簡単な説明】
【００１７】
【図１】本発明を適用したズームレンズ鏡筒の実施形態を、光軸を通る面で縦断した断面図である。
【図２】同ズームレンズ鏡筒の至近距離に焦点調節した状態を、光軸を通る面で縦断して光軸より上半分を示した断面図である。
【図３】同ズームレンズ鏡筒のテレ端、ワイド端ズーミング状態を、光軸を通る面で縦断して、光軸より上半分、下半部を示した断面図である。
【図４】同ズームレンズ鏡筒の防滴構造を拡大して示す断面図である。
【図５】同ズームレンズ鏡筒の防滴構造を光軸より上半分を拡大して示す断面図である。
【図６】同ズームレンズ鏡筒の防滴構造を光軸より上半分を拡大して示す断面図である。
【図７】図１の切断線VII-VIIに沿って横断して同ズームレンズ鏡筒の防滴排水溝の形状を示す、横断面図である。
【発明を実施するための形態】
【００１８】
以下本発明の実施形態について、添付の図面を参照して詳細に説明する。図１は、本発明を適用したズームレンズ鏡筒の実施形態を、光軸を通る面で縦断した断面図である。
【００１９】
レンズ鏡筒１０は、２つのレンズ群Ｌ１、Ｌ２を具備するレンズ交換式ズームレンズ鏡筒である。各レンズ群Ｌ１、Ｌ２の光軸Ｏを中心とする筒状体である第１固定環１１の後端部には、図示を省略したカメラボディのマウント部に着脱可能なマウント部１２が設けられている。さらに、第１固定環１１の内周側には第１固定環１１と同心をなす筒状体である第２固定環１３が配設されていて、第２固定環１３の後端部は第１固定環１１の後部壁の前面に固定されている。
【００２０】
第１固定環１１及び第２固定環１３の前端部には、第１固定環１１及び第２固定環１３と同心をなす筒状体であるズーム操作環１５が光軸Ｏ回りに回転可能（光軸Ｏ方向のスライドは不能）に設けられている。ズーム操作環１５の前端部にはズーム操作環１７が一体に回転するように連結されている。これらのズーム操作環１５、１７の外周面にグリップ環１６が固着されている。これらのズーム操作環１５、１７は、複数の駆動系環状部材の一つを構成している。第１固定環１１は、駆動系環状部材としてのズーム操作環１５、１７が相対回転する環状部材を構成している。
【００２１】
第１固定環１１の前端部の外周面には、第１固定環１１と同心をなす筒状体であるフォーカス環１９の後端部が、光軸Ｏ方向の移動が規制された状態で光軸Ｏ回りに回転可能に設けられている。フォーカス環１９の後端部はズーム操作環１５、１７の内周側に位置している。なお、図示しないが、フォーカス環１９の内周面の後端部にはギヤが形成されていて、このギヤは第２固定環１３の外周面の前端部近傍に回転可能に支持された出力ギヤが噛合している。この出力ギヤは、レンズ鏡筒１０がカメラボディに装着されると、カメラボディに内蔵されたギヤ機構を介してカメラボディに内蔵したフォーカス用モータと接続される。このフォーカス環１９は、複数の駆動系環状部材の一つを構成していて、ズーム操作環１５、１７に対して径方向内側に位置する内側の駆動系環状部材となっている。
【００２２】
第２固定環１３の外周側には、第２固定環１３と同心をなす筒状体であるカム環２１が配設されている。このカム環２１は、第２固定環１３に対して、光軸Ｏ移動はしないで光軸Ｏ回りを自在に回転するように支持され、さらにズーム連動レバー１８を介してズーム操作環１５と接続されている。従ってズーム操作環１５が回転すると、カム環２１は、光軸Ｏ方向には移動しないで光軸Ｏ回りを回転する。
【００２３】
第２固定環１３は、カム環２１内周側に位置する２群支持枠２３を支持している。２群支持枠２３はバリエータレンズ群である第２レンズ群Ｌ２を支持する部材であり、第２固定環１３に形成された直進案内溝によって直進案内され、カム環２１の内周面に形成されたカム溝にカム接続されている。従って、ズーム操作環１５を介してカム環２１が回転すると、２群支持枠２３は、光軸Ｏ回りには回転せずに、カム環２１のカム溝のリードに従った速度で光軸Ｏに沿って進退移動する。
【００２４】
カム環２１の先端部外周面には、カム環２１と同心をなす筒状体である直進環２５が嵌合している。この直進環２５は、詳細は説明しないが、第２固定環１３に回転しないで光軸Ｏに沿って進退自在に支持されかつカム環２１との間のカム機構によってカム環２１が回転すると回転しないで光軸Ｏに沿って進退動するように接続されている。
【００２５】
直進環２５とフォーカス環１９との間には、これらと同心をなす筒状体である回転繰出し環２７が配置されている。回転繰出し環２７は、詳細は説明しないが、直進環２５とカム機構により接続され、フォーカス環１９とは光軸Ｏ方向には進退自在に、かつ光軸Ｏ回りには一体回動するように接続されている。従って回転繰出し環２７は、カム環２１が回転すると、カム環２１との間のカム機構によって光軸Ｏに沿って進退動する直進環２５と一緒に、回転しないで進退動する。一方、フォーカス環１９が回転すると、回転繰出し環２７はフォーカス環１９と一体に回転しながら、直進環２５との間のカム機構によって光軸Ｏに沿って進退動する。なお、回転繰出し環２７は、駆動系回転部材が相対回転する環状部材を構成している。
【００２６】
第２固定環１３の前端部内には、第１レンズ群Ｌ１を支持する筒状体である１群支持枠２９の後端部が、回転しないで光軸Ｏ方向に直進移動自在に接続されている。第１レンズ群Ｌ１、コンペンセータレンズ及びフォーカシングレンズとして機能する。この１群支持枠２９は、その先端部の外周において、回転繰出し環２７に対して相対回転自在にかつ光軸Ｏ方向には一緒に移動するように接続されている。従って、フォーカス環１９が回転操作されると、回転繰出し環２７が回転しながら進退動し、この進退動により１群支持枠２９が第１レンズ群Ｌ１を支持して、回転しないで光軸Ｏに沿って進退動する。一方、ズーム操作環１５が回転操作されると、１群支持枠２９は回転を規制された状態で、直進環２５及び回転繰出し環２７により第２固定鏡筒１３及びフォーカス環１９に対して光軸Ｏ方向に進退動する。フォーカス環１９を回転させて回転繰出し環２７、１群支持枠２９及び第１レンズ群Ｌ１を最も前進させた様子を、図２に示した。
【００２７】
ここで、カム環２１が回転して直進環２５が進退動するときに回転繰出し環２７は回転せずに進退動し、フォーカス環１９が回転するときに回転繰出し環２７は回転しながら進退動するように形成されている。
【００２８】
なお、カム環２１が回動すると、カム環２１と２群支持枠２３との間のカム機構のリードにより、２群支持枠２３が第２レンズ群Ｌ２を保持して第２固定環１３の直進ガイド溝に沿って回転しないで光軸Ｏに沿って進退動すると共に、１群支持枠２９が第１レンズ群Ｌ１を保持して、直進環２５とカム環２１との間のカム機構により回転しないで進退動して、ズーミングされる（図３（Ａ）、（Ｂ））。
【００２９】
次に、回転繰出し環２７と１群支持枠２９の間、前部ズーム操作環１７とフォーカス環１９の間、及び後部ズーム操作環１５と第１固定環１１との間に設けた防滴構造について、さらに図４乃至図７を参照して説明する。
【００３０】
図４は、回転繰出し環２７及び１群支持枠２９の間の防滴構造を拡大して示す断面図である。回転繰出し環２７の前部内周面と１群支持枠２９の外周面との間に、シーリング部材であるラシャ３１が接着されている。ラシャ３１は環状に形成されていて、１群支持枠２９の外周面に接着し、回転繰出し環２７には摺接自在に接触させてあるが、逆でもよい。又、シーリング部材は、一方の面全体に細かな毛が植毛された環状の合成皮革など、ラシャに限定されない。
【００３１】
１群支持枠２９の外周面には、ラシャ３１よりも鏡筒外方側、ここではラシャ３１の前端面から僅かに離反した位置に、堤部２９ｂ、２９ｃで規制された排水溝２９ａが形成されている。堤部２９ｂ、２９ｃ、つまり排水溝２９ａは１群支持枠２９全周に亘って形成されている。この堤部２９ｂ、２９ｃは、前方（外側）の堤部２９ｂの方が高く形成されている。
【００３２】
回転繰出し環２７の前端部には、排水溝２９ａを覆う庇部２７ａが形成されている。庇部２７ａは、後方の堤部２９ｃの外周面を越えて、排水溝２９ａを覆い、前方の堤部２９ｂとの間に僅かな隙間を残す位置まで延びている。さらにこの庇部２７ａには、排水溝２９ａと対向する面に、先端部に向かって排水溝２９ａの底との間隔又は隙間が広がる方向に傾斜したテーパ部２７ａ１が形成されている。
【００３３】
このような庇部２７ａを有する排水溝２９ａがラシャ３１の外側に設けられているので、レンズ鏡筒に降りかかった水滴は、先ず、庇部２７ａと堤部２９ｂとの隙間から排水溝２９ａに浸入するが、排水溝２９ａに浸入した水滴は、排水溝２９ａに沿って重力方向下方に流れ、下方の庇部２７ａと堤部２９ｂとの隙間から排水溝２９ａ外に落ちる。つまり、カメラを正位置に構えた状態で水滴が降りかかると、水滴は排水溝１９ａを伝わってレンズ鏡筒外に落ちる。さらにこの実施形態では、下方の庇部２７ａはテーパ部２７ａ１が排水溝２９ａとの隙間に向かって下がる方向に傾斜しているので、排水能力が高くなる。
【００３４】
図５は、前部のズーム環１７とフォーカス環１９との間の防滴構造を示す拡大断面図である。前部のズーム環１７の前端部内周面とフォーカス環１９の外周面との間に、シーリング部材であるラシャ３３が接着されている。ラシャ３３は、フォーカス環１９の外周面に接着し、前部のズーム環１７の内周面には摺接自在に接触させてあるが、逆でもよい。
【００３５】
フォーカス環１９の外周面には、ラシャ３３よりも前部のズーム環１７の鏡筒外方側、ここではラシャ３３の前端面から僅かに離反した位置に、堤部１９ｂ、１９ｃで規制された排水溝１９ａが形成されている。堤部１９ｂ、１９ｃ、つまり排水溝１９ａはフォーカス環１９全周に亘って形成されている。この堤部１９ｂ、１９ｃは、前方の堤部１９ｂの方が高く形成されている。
前部ズーム環１７の前端部には、排水溝１９ａを覆う庇部１７ａが形成されている。庇部１７ａは、後方の堤部１９ｃの外周面を越えて、排水溝１９ａを覆い、さらに前方の堤部１９ｂの上面とのに僅かな隙間を残す位置まで延びている。
【００３６】
このような庇部１７ａを有する排水溝１９ａがラシャ３３の外側に設けられているので、レンズ鏡筒に降りかかった水滴は、先ず、庇部１７ａと堤部１９ｂとの隙間から排水溝１９ａに浸入するが、排水溝１９ａに浸入した水滴は、排水溝１９ａに沿って重力方向下方に流れ、下方の庇部１７ａと堤部１９ｂとの隙間から排水溝１９ａ外に落ちる。つまり、カメラを正位置に構えた状態で水滴が降りかかると、水滴は排水溝１９ａを伝わってレンズ鏡筒外に落ちる。
【００３７】
なお、フォーカス環１９の前端部と回転繰出し環２７との間は、シーリング部材としてのラシャ３７によって防滴されている。ラシャ３７は外周面がフォーカス環１９の内周面に接着され、内周面が回転繰出し環２７に摺接自在に接触している。
【００３８】
図６は、後部のズーム操作環１５と第１固定環１１との間の防滴構造を示す拡大断面図である。後部のズーム操作環１５の後端部内周面と第１固定環１１の外周面との間に、シーリング部材であるラシャ３５が接着されている。ラシャ３５は、第１固定環１１の外周面に接着し、後部のズーム操作環１５の内周面には摺接自在に接触させてあるが、逆でもよい。
【００３９】
第１固定環１１の外周面には、ラシャ３５よりも後部のズーム操作環１５の鏡筒外方側、ここではラシャ３５の後端面から僅かに離反した位置に、堤部１１ｂ、１１ｃで規制された排水溝１１ａが形成されている。堤部１１ｂ、１１ｃ、つまり排水溝１１ａは第１固定環１１全周に亘って形成されている。この堤部１１ｂ、１１ｃは、前方の堤部１１ｂの方が高く形成されている。また、後方の堤部１１ｃは、第１固定環１１の外周面によって形成されている。
【００４０】
後部のズーム操作環１５の後端部には、排水溝１１ａを覆う庇部１５ａが形成されている。庇部１５ａは、前方の堤部１１ｂの外周面を越えて、排水溝１１ａを覆い、後方の堤部１１ｃとのに僅かな隙間を残す位置まで延びている。さらにこの庇部１５ａには、排水溝１１ａと対向する面が先端部に向かって排水溝１１ａの底との間隔又は隙間が広がる方向に傾斜したテーパ部１５ａ１が形成されている。
【００４１】
このような庇部１５ａを有する排水溝１１ａがラシャ３５よりも鏡筒外側に設けられているので、レンズ鏡筒に降りかかった水滴は、先ず、庇部１５ａと堤部１１ｃとの隙間から排水溝１１ａに浸入するが、排水溝１１ａに浸入した水滴は、排水溝１１ａに沿って重力方向下方に流れ、下方の庇部１５ａと堤部１１ｃとの隙間から排水溝１１ａ外に落ちる。つまり、カメラを正位置に構えた状態で水滴が降りかかると、水滴は排水溝１１ａを伝わって最下部からレンズ鏡筒外に落ちる。ここで、排水溝１１ａは下方に従って浅くなり、かつ下方では庇部１５ａのテーパ部１５ａ１が排水溝１１ａ外に落下する方向に傾斜している（隙間が広がっている）ので、水滴はテーパ部１５ａ１に沿って排水溝１１ａ外に流れ出易くなり、排水能力が高くなる。
【００４２】
さらにこの排水溝１１ａは、レンズを正位置に置いた状態で、上部の方が深く、下部の方が浅くなるように形成されている（図７）。このように排水溝１１ａの深さを変化させることで、正位位置に構えた状態でレンズ鏡筒に降りかかった水滴は、上部の排水溝１１ａから浸入し、下部の排水溝１１ａからレンズ鏡筒外に抜け落ち易くなる。
【００４３】
以上の通り実施形態の防滴構造によれば、相対回転する鏡筒間をシールするシーリング部材であるラシャ３１、３３、３５よりも鏡筒外側位置に排水溝２９ａ、１１ａ、１９ａを設けたので、水滴は先ず排水溝２９ａ、１１ａ、１９ａに入り、排水溝２９ａ、１１ａ、１９ａに沿って流れてレンズ鏡筒外に出るので、シーリング部材のみによるよりも防滴防水効果が高くなる。
排水溝２９ａ、１１ａ、１９ａを覆う庇部２７ａ、１７ａ、１５ａを設けた防滴構造によれば、水滴は庇部２７ａ、１７ａ、１５ａに遮られて排水溝２９ａ、１１ａ、１９ａに入り難く、庇部２７ａ、１７ａ、１５ａの外面を伝わってレンズ鏡筒外に流れ落ちるので、さらに防滴防水効果が高くなる。
排水溝１９ａの深さを、正位置において上方ほど深く、下方ほど浅く形成した防滴構造によれば、排水溝１９ａに入った水滴が排水溝１９ａに沿って重力下方に流れると、下流領域では底が浅くなっているので容易に排水溝１９ａから溢れ、レンズ鏡筒外に滴下し、より防滴防水効果が高くなる。
【００４４】
庇部は、排水溝を完全に覆う形状（庇部１７ａ）でも、排水溝をほぼ覆う形状（庇部２７ａ、１５ａ）のいずれでもよい。
庇部２７ａ、１５ａにテーパ部２７ａ１、１５ａ１を形成したが、他の庇部１７ａにも同様のテーパ部を設けることが好ましい。
排水溝は、２本以上設けてもよい。
【００４５】
以上、本発明の防滴構造について２群ズームレンズ鏡筒に適用した実施形態を説明したが、本発明はこの実施形態に限定されず、他のレンズ鏡筒に適用可能である。
【００４６】
次に、ズーム操作環１５及びフォーカス操作環１９が回動操作されたときの動作について、図２及び図３を参照して説明する。
【００４７】
「フォーカシング」
フォーカス操作環１９が回動操作されると、その回転は、回転繰出し環２７に伝達され、回転繰出し環２７が回転する。回転繰出し環２７は、直進案内された直進環２５とのヘリコイド接続されているので、回転しながら進退動する。回転繰出し環２７の進退動により、１群支持枠２９、第１レンズ群Ｌ１が一体として、回転しないで光軸Ｏに沿って進退動する（図２）。
【００４８】
ここで、フォーカス操作環１９と前部のズーム操作環１７との間はラシャ３３で防滴されている。従ってフォーカス操作環１９回転力は、ラシャ３３間の摩擦抵抗を介してズーム操作環１５、１７を回転させるように作用(回転トルクが発生）する。そこでこの実施系形態では、フォーカス環１９、ズーム操作環１５間のラシャ３３の摩擦抵抗（最大静止摩擦力、滑り摩擦力による回転トルク）よりも、ズーム操作環１７、第１固定環１１間のラシャ３５の摩擦抵抗最大静止摩擦量、滑り摩擦力による回転トルク）の方を大きく設定してある。この摩擦抵抗、回転トルクの差により、フォーカス操作環１９が回転しても、ズーム操作環１５、１７が引き連れられて回転することが無い。
【００４９】
「ズーミング」
ズーム操作環１５、１７が回転操作されると、その回転はカム環２１に伝達され、カム環２１が回転する。カム環２１が回転すると、カム環２１とカム機構により接続された直進環２５が回転しないで進退動する。直進環２５とヘリコイド接続された回転繰出し環２７が回転しないで直進環２５と一体に進退動する。従って回転繰出し環２７と一緒に、１群支持枠２９及び第１レンズ群Ｌ１が進退動する。
【００５０】
ここで、前部のズーム操作環１７とフォーカス操作環１９との間はラシャ３３により防滴されている。従ってズーム操作環１７の回転力は、ラシャ３３間の摩擦抵抗を介してフォーカス操作環１９を回転させるように作用する。そこでこの実施形態では、フォーカス環１９、ズーム操作環１５間のラシャ３３の摩擦抵抗（最大静止摩擦力及び滑り摩擦力による回転トルク）よりも、フォーカス環１９、回転繰出し環２７間のラシャ３７の摩擦抵抗（最大静止摩擦量及び滑り摩擦力による回転トルク）の方を大きく設定してある。この摩擦抵抗（回転トルク）の差により、ズーム操作環１５、１７が回転しても、フォーカス操作環１９が引き連れられて回転することが無い。
【００５１】
以上の通り本実施形態のズームレンズ鏡筒によれば、互いに独立して相対回転操作されるフォーカス環１９とズーム環１５、１７との間を防滴するラシャ３３による摩擦抵抗を、フォーカス環１９と回転繰出し環２７との間を防滴するラシャ３７による摩擦抵抗及びズーム環１５、１７と第１固定環１１との間を防滴するラシャ３５による摩擦抵抗よりも小さく設定したので、フォーカス環１９、ズーム操作環１５、１７の一方が回転操作されても、他方が引き連れられて回転することが無い。
【００５２】
さらに本実施形態では、前部のズーム操作環１７とフォーカス操作環１９の防滴構造としてラシャ３３に加えて排水溝１９ａ、堤部１９ｂ、１９ｃ及び庇部１７ａを設けてあるので、ラシャ３３による摩擦抵抗が小さくなるように調整することが容易である。ラシャ３３による摩擦抵抗が小さくなるようにラシャ３３が前部のズーム操作環１７に接触する圧力を小さくしても、排水溝１９ａ、堤部１９ｂ、１９ｃ及び庇部１７ａにより十分な防滴効果が保持される。
【００５３】
又、本実施形態において、各排水溝１１ａ、１９ａ、２９ａの深さを異ならせてもよい。排水溝１１ａ、１９ａ、２９ａの深さを異ならせることにより防滴能力を異ならせることができるので、防滴能力を高めてシーリング部材の摩擦抵抗を小さくするなどのトルク調整が可能になる。排水溝の数を異ならせることでも同様の効果が得られる。
【符号の説明】
【００５４】
１０  レンズ鏡筒
１１  第１固定環（環状部材）
１１ａ  排水溝
１１ｂ  堤部
１１ｃ  堤部
１２  マウント部
１３  第２固定環
１５  ズーム操作環（駆動系環状部材）
１５ａ  庇部
１７  前部のズーム操作環（駆動系環状部材）
１７ａ  庇部
１９  フォーカス環（駆動系環状部材）
１９ａ  排水溝
１９ｂ  堤部
１９ｃ  堤部
２３  ２群支持枠
２５  直進環
２７  回転繰出し環（環状部材）
２７ａ  庇部
２９  １群支持枠
２９ａ  排水溝
２９ｂ  堤部
２９ｃ  堤部
３１  ラシャ（シーリング部材）
３３  ラシャ（シーリング部材）
３５  ラシャ（シーリング部材）
【図１】
2010197452.tif 000003
【図２】
2010197452.tif 000004
【図３】
2010197452.tif 000005
【図４】
2010197452.tif 000006
【図５】
2010197452.tif 000007
【図６】
2010197452.tif 000008
【図７】
2010197452.tif 000009
【手続補正書】
【提出日】平成22年2月24日(2010.2.24)
【手続補正１】
【補正対象書類名】明細書
【補正対象項目名】０００２
【補正方法】変更
【補正の内容】
【０００２】
レンズ鏡筒は一般的に、互いに同心をなし光軸に沿って相対移動可能あるいは光軸回りに相対回転可能な複数の環状部材を具備している。これら環状部材の一つをズーム操作環あるいはマニュアルフォーカス環とし、このズーム操作環あるいはマニュアルフォーカス環の手動による回転操作により他の環状部材を光軸に沿って進退させる場合に、隣り合う（径方向に重なり合う）環状部材間に意図的に摩擦抵抗を発生させることにより、ズーム操作環あるいはマニュアルフォーカス環の手動操作時に撮影者が適度な抵抗感を感じられるようにすることが従来より行われている。
このような抵抗感を出すための手段の一例として、一方の面全体に細かな毛が植毛された環状の合成皮革の他方の面を環状部材の外周面または内周面に固着し、合成皮革の一方の面（植毛面）を隣り合う他の環状部材の内周面または外周面に摺動可能に接触させることが行われていた。
【手続補正２】
【補正対象書類名】明細書
【補正対象項目名】００２０
【補正方法】変更
【補正の内容】
【００２０】
第１固定環１１の前端部には、第１固定環１１及び第２固定環１３と同心をなす筒状体であるズーム操作環１５、１７が光軸Ｏ回りに回転可能（光軸Ｏ方向のスライドは不能）に設けられている。ズーム操作環１５の前端部にはズーム操作環１７が一体に回転するように連結されている。これらのズーム操作環１５、１７の外周面にグリップ環１６が固着されている。これらのズーム操作環１５、１７は、複数の駆動系環状部材の一つを構成している。第１固定環１１は、駆動系環状部材としてのズーム操作環１５、１７が相対回転する環状部材を構成している。
【手続補正３】
【補正対象書類名】明細書
【補正対象項目名】００２８
【補正方法】変更
【補正の内容】
【００２８】
なお、カム環２１が回動すると、カム環２１と２群支持枠２３との間のカム機構のリードにより、２群支持枠２３が第２レンズ群Ｌ２を保持して第２固定環１３の直進ガイド溝に沿って回転しないで光軸Ｏに沿って進退動すると共に、１群支持枠２９が第１レンズ群Ｌ１を保持して、直進環２５とカム環２１との間のカム機構により回転しないで進退動して、ズーミングされる（図３）。
【手続補正４】
【補正対象書類名】図面
【補正対象項目名】図２
【補正方法】変更
【補正の内容】
【図２】
2010197452.tif 000010
【手続補正５】
【補正対象書類名】図面
【補正対象項目名】図３
【補正方法】変更
【補正の内容】
【図３】
2010197452.tif 000011
【手続補正６】
【補正対象書類名】図面
【補正対象項目名】図４
【補正方法】変更
【補正の内容】
【図４】
2010197452.tif 000012
【手続補正７】
【補正対象書類名】図面
【補正対象項目名】図５
【補正方法】変更
【補正の内容】
【図５】
2010197452.tif 000013
【手続補正８】
【補正対象書類名】図面
【補正対象項目名】図６
【補正方法】変更
【補正の内容】
【図６】
2010197452.tif 000014
【手続補正９】
【補正対象書類名】図面
【補正対象項目名】図８
【補正方法】変更
【補正の内容】
【図８】
2010197452.tif 000015
【手続補正１０】
【補正対象書類名】図面
【補正対象項目名】図９
【補正方法】変更
【補正の内容】
【図９】
2010197452.tif 000016